(57)【要約】      （修正有）【課題】ガラスの板厚に応じてカッターチップの位置を調整すると同時に、カッターチップのガラスへの押しつけ圧力を調整することが出来る、手動のガラスカッター保持具及びガラス切り工具の提供。【解決手段】先端にカッターチップ５２を有するカッターヘッド５１を支えるガラスカッター保持部材１を、中空ネジ２２を介してカッター保持部材１に取付け、ローレットナット２１とバネ４により、カッターチップ５２とガラス板７との位置及び押しつけ圧力を同時に調整出来る機構を有する、ガラスカッター保持具。【選択図】図４
2019123640.tif 000002
【特許請求の範囲】
【請求項１】
ガラスカッターを対象物に対して一定高さに保持できる手動のガラス切り工具であって、ガラスカッターを対象物に対して押しつける圧力と、ガラスカッターの対象物に対する距離とを同時に調整できる圧力位置調整機構を有することを特徴とするガラスカッター保持具およびガラス切り工具
【請求項２】
前記圧力位置調整機構に加えて圧力のみを調整する事の出来る圧力調整機構を持つ請求項１に記載のガラスカッター保持具およびガラス切り工具
【請求項３】
前記圧力位置調整機構がバネとネジとナットの組み合わせからなることを特徴とする請求項１および請求項２に記載のガラスカッター保持具およびガラス切り工具
【請求項４】
前記圧力調整機構がバネとネジとナットの組み合わせによることを特徴とする請求項１から請求項３に記載のガラスカッター保持具およびガラス切り工具
【発明の詳細な説明】
【技術分野】
【０００１】
本発明は、ガラスカッター保持具およびガラス切り工具に関する。
【背景技術】
【０００２】
ガラス切りは様々な分野で使われているが、工業生産的な分野以外ではガラス切り装置では無くガラス切り工具が便利である。
【０００３】
これらガラス切り工具は工芸用途や研究用途など使われる範囲は幅広い。ペン型の物が主流であるが、研究用途で所望の寸法にカットする場合にはカット精度が悪く、使い勝手も悪い。
【０００４】
ガラスを切る際にはガラスの材質や厚みに対して適切な圧力をガラスカッターに加え、一定のスクライブラインを形成する必要があるが、ペン型の場合この圧力は人間が自分の力加減で調整するため熟練が必要で個人差も大きい。スクライブラインの形成が不良であると、この後の破断の工程でスクライブライン通りに割れず、失敗してしまうことがある。
【０００５】
また、非特許文献１のような研究用ガラス切りは販売されているが、切るガラスの厚みや種類に合わせて、ガラスカッターをガラスに押しつける圧力を調整する仕組みを持っていない。
【０００６】
基本的に手動のガラス切り工具では手の力加減によって、ガラスカッターをガラスに押しつける圧力を調整する。バネが入っているケースもあるが、バネ圧を任意に調整は出来ない。このため、様々な厚みのガラスに対して一定の最適な圧力をかけながらカットすることが出来ない。
【先行技術文献】
【非特許文献】
【０００７】
【非特許文献１】科学機器総合カタログ研究・実験・検査用２０１６−２０１７，東京硝子器械株式会社，ｐ．５４７
【発明の概要】
【発明が解決しようとする課題】
【０００８】
以上のように、手動の安価なガラス切り工具では、一定の圧力を加えてガラスを切ることが事実上出来ないし、ガラスの厚みに合わせて圧力を調整する仕組みも無い。このためガラスをうまく切れるかどうかは作業者の熟練度に大きく依存していた。
【０００９】
本発明は上記に鑑みてなされた物であり、ガラスカッターをガラスに押しつける圧力を任意の一定圧に調整でき、かつガラスの厚みに合わせてガラスカッターの位置と圧力を調整することの出来るガラスカッター保持具およびガラス切り工具を提供するものである。これにより熟練した作業者で無くとも容易に様々な厚みのガラスをカットできる。
【課題を解決するための手段】
【００１０】
上記課題を解決するために請求項１の発明は、ガラスカッターを対象物に対して一定高さに保持できる手動のガラス切り工具であって、ガラスカッターを対象物に対して押しつける圧力と、ガラスカッターの対象物に対する距離とを同時に調整できる圧力位置調整機構を有することを特徴とするガラスカッター保持具およびガラス切り工具である。
【００１１】
請求項２の発明は、前記圧力位置調整機構に加えて圧力のみを調整する事の出来る圧力調整機構を持つ請求項１に記載のガラスカッター保持具およびガラス切り工具である。
【００１２】
請求項３の発明は、前記圧力位置調整機構がバネとネジとナットの組み合わせからなることを特徴とする請求項１および請求項２に記載のガラスカッター保持具およびガラス切り工具である。
【００１３】
請求項４の発明は、前記圧力調整機構がバネとネジとナットの組み合わせによることを特徴とする請求項１から請求項３に記載のガラスカッター保持具およびガラス切り工具である。
【発明の効果】
【００１４】
本発明によるガラスカッター保持具およびガラス切り工具を用いれば、ガラスカッターを対象物に対して押しつける圧力を一定にでき、さらにガラスカッターの対象物に対する距離を同時に調整できるので、熟練した作業者で無くとも容易に様々な厚みのガラスをカットできる。
【図面の簡単な説明】
【００１５】
【図１】本発明によるガラスカッター保持具を示す構成図である。
【図２】本発明によるガラスカッター保持具を示す構成図である。
【図３】本発明によるガラスカッターを用いてガラスをカットする際の調整方法を示す説明図である。
【図４】本発明によるガラスカッターを用いてガラスをカットする際の調整方法を示す説明図である。
【図５】本発明によるガラス切り工具を示す側面図である。
【発明を実施するための形態】
【００１６】
本発明の実施の形態を、以下図面を用いて説明する。
【００１７】
図１は本発明によるガラスカッター保持具を示す構成図である。圧力位置調整機構を構成するために次のような部材配置とする。
【００１８】
まず、カッター保持部材1に対して下にカッターヘッド５１、バネ４を配置し、上に中空ネジ２２を配置し、中空ネジ２２にローレットナット２１を組み込む。さらに、中空ネジ２２にカッターヘッド支持軸６１を差し込み、カッターヘッド５１をネジ等でカッターヘッド支持軸６１に固定する。ここで、カッターヘッド支持軸６１と支持軸ツバ６２は一体もしくは接合された関係にある。これにより、圧力位置調整機構が構成される。
【００１９】
この状態で、ローレットナット２１を回してカッター保持部材1から遠ざけると支持軸ツバ６２も上方に移動することから、カッターヘッド支持軸６１に固定されたカッターヘッド５１も上方へ移動することとなり、これによってバネ４が圧縮される。
【００２０】
つまり、バネ４の圧縮圧力によってカッターチップ５２がガラス板７に接触する際、同等の圧力がガラス板７に加わることとなる。従って、カッターヘッド５１の位置の移動と圧力の調整が同時になされたこととなる。
【００２１】
図２は更に進んで、バネ４の圧力のみを独立して調整できるようにしたものである。
【００２２】
圧力調整機構を構成するためには次のような部材配置とする。中空ネジ２２をカッター保持部材１のカッターヘッド５１側にも配置し、さらに中空ネジ２２にローレットナット３１を組み込み、バネ４がローレットナット３１とカッターヘッド５１の間に配置されている構成とする。
【００２３】
ローレットナット３１を回して、上下させることによりバネ４の圧縮圧力のみを任意に調整できる。
【００２４】
本説明では、カッターヘッド５１に圧力を加えるためにバネを用いたが、弾性体など圧力を発生させることのできるものであれば何でも良い。
【００２５】
また、位置を移動させるためにローレットナット２１と中空ネジ２２の組み合わせを用いたが、本発明はこれに限定されるものでは無く、支持軸ツバ６２下へスペーサーを挿入するなど、カッターヘッド５１の位置を変更できる仕組みであれば何でもよい。
【００２６】
このガラスカッター保持具１１を用いたガラス切り工具を図５にしめす。ガラス切り工具の台盤８上に磁石、テープ、真空吸着、手その他の手段でガラス板７を保持する。図示しないが、ガラスカッター保持具１１はスライダ機構を有しており、案内部材１０に対してスライダ機構を介して保持されている。これによって、ガラスカッター保持具１１は案内部材１０に沿って移動することが出来る。案内部材１０は支持部材９によって台盤８上に一定の高さで固定されている。これによって案内部材１０上でカッターチップ５２はガラス板７の表面に対して一定の高さを保つこととなる。
【００２７】
本発明によるガラス切り工具は手動であるので、当然ガラスカッター保持具１１には取っ手が取り付けてあることが望ましい。
【００２８】
図３と図４で、更に詳しく本発明によるガラスカッターを用いてガラスをカットする際の調整方法を説明する。実際にはガラス切り工具を用いてカットするが、簡単のためガラスカッター保持具１１、台盤８、ガラス板７のみを図示する。
【００２９】
まず、カッターヘッド５１をカッターヘッド支持軸６１に固定する際、ばね４が自由長で台盤８に接するようにする。
【００３０】
図３では、台盤８上に厚み１ｍｍのガラス板７を保持した状態を示す。バネ４には１０．２Ｎ／ｍｍのばね定数を持つバネ４を用いた。通常のガラス板７をカットする場合には５Ｎ／ｍｍ〜２０Ｎ／ｍｍのばね定数をもつバネが好ましい。
【００３１】
ガラス板７に切り込みを入れるためにはカッターチップ５２の先端はは必ずガラス板７の表面より台盤側に近くなくてはならない。このシフト量を０．２ｍｍとし、カッターチップ５２の先端と台盤８との距離を０．８ｍｍとなるようにローレットナット２１を調整した状態が図３である。
【００３２】
つまり、バネ４によってカッターチップ５２に８．２Ｎの圧力が与えられていることになる。この状態でガラスカッター保持具１１をスライドさせカッターチップ５２をガラス板７上で走行させ、スクライブラインを入れる。綺麗なスクライブラインが入っていればガラス板７は手もしくは簡易的な工具で容易に破断できる。
【００３３】
つぎに、図４は台盤８上に厚み２ｍｍのガラス板７を保持した場合である。図３の状態からローレットナット２１を回して、支持軸ツバ６２、カッターヘッド支持軸６１およびカッターヘッド５１を図に示す矢印方向に１ｍｍ移動させる。これによって、カッターチップ５２の先端と台盤８との距離が１．８ｍｍとなる。つまり、、バネ４によってカッターチップ５２に１８．４Ｎの圧力が与えられていることになる。
【００３４】
厚みの２ｍｍのガラス板７をカットする際には、厚み１ｍｍのガラス板７をカットする場合に比べて強い押しつけ圧力が必要となるが、高さ調整をするとともに自動的に圧力調整もなされることとなる。
【００３５】
また、ガラスの種類によって硬さが異なるため押しつけ圧力を変更したい場合には、ばね定数の異なるバネに変更するか図２にしめした圧力調整機構をもつガラスカッター保持具１１を用いれば良い。
【００３６】
以上述べたように、本発明によるガラスカッター保持具１１およびガラス切り工具を用いれば、ガラス板７の板厚に応じてカッターチップ５２の位置を調整すると同時にカッターチップ５２のガラス板７への押しつけ圧力を調整することが出来る。
【符号の説明】
【００３７】
１  カッター保持部材
４  バネ
７  ガラス板
８  台盤
９  支持部材
１０  案内部材
１１  ガラスカッター保持具
２１，３１  ローレットナット
２２  中空ネジ
５１  カッターヘッド
５２  カッターチップ
６１  カッターヘッド支持軸
６２  支持軸ツバ
【図１】
2019123640.tif 000003
【図２】
2019123640.tif 000004
【図３】
2019123640.tif 000005
【図４】
2019123640.tif 000006
【図５】
2019123640.tif 000007
【手続補正書】
【提出日】平成31年3月15日(2019.3.15)
【手続補正１】
【補正対象書類名】明細書
【補正対象項目名】全文
【補正方法】変更
【補正の内容】
【発明の詳細な説明】
【技術分野】
【０００１】
本発明はガラス切り工具に関する。
【背景技術】
【０００２】
ガラス切りは様々な分野で使われているが、工業生産的な分野以外ではガラス切り装置では無くガラス切り工具が便利である。
【０００３】
これらガラス切り工具は工芸用途や研究用途など使われる範囲は幅広い。ペン型の物が主流であるが、研究用途で所望の寸法にカットする場合にはカット精度が悪く、使い勝手も悪い。
【０００４】
ガラスを切る際にはガラスの材質や厚みに対して適切な圧力をガラスカッターに加え、一定のスクライブラインを形成する必要があるが、ペン型の場合この圧力は人間が自分の力加減で調整するため熟練が必要で個人差も大きい。スクライブラインの形成が不良であると、この後の破断の工程でスクライブライン通りに割れず、失敗してしまうことがある。
【０００５】
また、非特許文献１のような研究用ガラス切りは販売されているが、切るガラスの厚みや種類に合わせて、ガラスカッターをガラスに押しつける圧力を調整する仕組みを持っていない。
【０００６】
基本的に手動のガラス切り工具では手の力加減によって、ガラスカッターをガラスに押しつける圧力を調整する。バネが入っているケースもあるが、バネ圧を任意に調整は出来ない。このため、様々な厚みのガラスに対して一定の最適な圧力をかけながらカットすることが出来ない。
【先行技術文献】
【非特許文献】
【０００７】
【非特許文献１】科学機器総合カタログ研究・実験・検査用２０１６−２０１７，東京硝子器械株式会社，ｐ．５４７
【発明の概要】
【発明が解決しようとする課題】
【０００８】
以上のように、手動の安価なガラス切り工具では、一定の圧力を加えてガラスを切ることが事実上出来ないし、ガラスの厚みに合わせて圧力を調整する仕組みも無い。このためガラスをうまく切れるかどうかは作業者の熟練度に大きく依存していた。
【０００９】
本発明は上記に鑑みてなされた物であり、ガラスカッターをガラスに押しつける圧力を任意の一定圧に調整でき、かつガラスの厚みに合わせてガラスカッターの位置と圧力を調整することの出来るガラス切り工具を提供するものである。これにより熟練した作業者で無くとも容易に様々な厚みのガラスをカットできる。
【課題を解決するための手段】
【００１０】
上記課題を解決するために請求項１の発明は、ガラスカッターを対象物に対して一定高さに保持できる手動のガラス切り工具であって、ガラスカッターを対象物に対して押しつける圧力と、ガラスカッターの対象物に対する距離とを同時に調整できる圧力位置調整機構を有することを特徴とするガラス切り工具である。
【００１１】
請求項２の発明は、前記圧力位置調整機構に加えて圧力のみを調整する事の出来る圧力調整機構を持つ請求項１に記載のガラス切り工具である。
【００１２】
請求項３の発明は、前記圧力位置調整機構がバネとネジとナットの組み合わせからなることを特徴とする請求項１または請求項２に記載のガラス切り工具である。
【００１３】
請求項４の発明は、前記圧力調整機構がバネとネジとナットの組み合わせによることを特徴とする請求項２または請求項３に記載のガラス切り工具である。
【発明の効果】
【００１４】
本発明によるガラス切り工具を用いれば、ガラスカッターを対象物に対して押しつける圧力を一定にでき、さらにガラスカッターの対象物に対する距離を同時に調整できるので、熟練した作業者で無くとも容易に様々な厚みのガラスをカットできる。
【図面の簡単な説明】
【００１５】
【図１】本発明によるガラスカッター保持具を示す構成図である。
【図２】本発明によるガラスカッター保持具を示す構成図である。
【図３】本発明によるガラスカッターを用いてガラスをカットする際の調整方法を示す説明図である。
【図４】本発明によるガラスカッターを用いてガラスをカットする際の調整方法を示す説明図である。
【図５】本発明によるガラス切り工具を示す側面図である。
【発明を実施するための形態】
【００１６】
本発明の実施の形態を、以下図面を用いて説明する。
【００１７】
図１は本発明によるガラス切り工具のガラスカッター保持具を示す構成図である。圧力位置調整機構を構成するために次のような部材配置とする。
【００１８】
まず、カッター保持部材1に対して下にカッターヘッド５１、バネ４を配置し、上に中空ネジ２２を配置し、中空ネジ２２にローレットナット２１を組み込む。さらに、中空ネジ２２にカッターヘッド支持軸６１を差し込み、カッターヘッド５１をネジ等でカッターヘッド支持軸６１に固定する。ここで、カッターヘッド支持軸６１と支持軸ツバ６２は一体もしくは接合された関係にある。これにより、圧力位置調整機構が構成される。
【００１９】
この状態で、ローレットナット２１を回してカッター保持部材1から遠ざけると支持軸ツバ６２も上方に移動することから、カッターヘッド支持軸６１に固定されたカッターヘッド５１も上方へ移動することとなり、これによってバネ４が圧縮される。
【００２０】
つまり、バネ４の圧縮圧力によってカッターチップ５２がガラス板７に接触する際、同等の圧力がガラス板７に加わることとなる。従って、カッターヘッド５１の位置の移動と圧力の調整が同時になされたこととなる。
【００２１】
図２は更に進んで、バネ４の圧力のみを独立して調整できるようにしたものである。
【００２２】
圧力調整機構を構成するためには次のような部材配置とする。中空ネジ２２をカッター保持部材１のカッターヘッド５１側にも配置し、さらに中空ネジ２２にローレットナット３１を組み込み、バネ４がローレットナット３１とカッターヘッド５１の間に配置されている構成とする。
【００２３】
ローレットナット３１を回して、上下させることによりバネ４の圧縮圧力のみを任意に調整できる。
【００２４】
本説明では、カッターヘッド５１に圧力を加えるためにバネを用いたが、弾性体など圧力を発生させることのできるものであれば何でも良い。
【００２５】
また、位置を移動させるためにローレットナット２１と中空ネジ２２の組み合わせを用いたが、本発明はこれに限定されるものでは無く、支持軸ツバ６２下へスペーサーを挿入するなど、カッターヘッド５１の位置を変更できる仕組みであれば何でもよい。
【００２６】
このガラスカッター保持具１１を用いたガラス切り工具を図５にしめす。ガラス切り工具の台盤８上に磁石、テープ、真空吸着、手その他の手段でガラス板７を保持する。図示しないが、ガラスカッター保持具１１はスライダ機構を有しており、案内部材１０に対してスライダ機構を介して保持されている。これによって、ガラスカッター保持具１１は案内部材１０に沿って移動することが出来る。案内部材１０は支持部材９によって台盤８上に一定の高さで固定されている。これによって案内部材１０上でカッターチップ５２はガラス板７の表面に対して一定の高さを保つこととなる。
【００２７】
本発明によるガラス切り工具は手動であるので、当然ガラスカッター保持具１１には取っ手が取り付けてあることが望ましい。
【００２８】
図３と図４で、更に詳しく本発明によるガラスカッターを用いてガラスをカットする際の調整方法を説明する。実際にはガラス切り工具を用いてカットするが、簡単のためガラスカッター保持具１１、台盤８、ガラス板７のみを図示する。
【００２９】
まず、カッターヘッド５１をカッターヘッド支持軸６１に固定する際、ばね４が自由長で台盤８に接するようにする。
【００３０】
図３では、台盤８上に厚み１ｍｍのガラス板７を保持した状態を示す。バネ４には１０．２Ｎ／ｍｍのばね定数を持つバネ４を用いた。通常のガラス板７をカットする場合には５Ｎ／ｍｍ〜２０Ｎ／ｍｍのばね定数をもつバネが好ましい。
【００３１】
ガラス板７に切り込みを入れるためにはカッターチップ５２の先端はは必ずガラス板７の表面より台盤側に近くなくてはならない。このシフト量を０．２ｍｍとし、カッターチップ５２の先端と台盤８との距離を０．８ｍｍとなるようにローレットナット２１を調整した状態が図３である。
【００３２】
つまり、バネ４によってカッターチップ５２に８．２Ｎの圧力が与えられていることになる。この状態でガラスカッター保持具１１をスライドさせカッターチップ５２をガラス板７上で走行させ、スクライブラインを入れる。綺麗なスクライブラインが入っていればガラス板７は手もしくは簡易的な工具で容易に破断できる。
【００３３】
つぎに、図４は台盤８上に厚み２ｍｍのガラス板７を保持した場合である。図３の状態からローレットナット２１を回して、支持軸ツバ６２、カッターヘッド支持軸６１およびカッターヘッド５１を図に示す矢印方向に１ｍｍ移動させる。これによって、カッターチップ５２の先端と台盤８との距離が１．８ｍｍとなる。つまり、、バネ４によってカッターチップ５２に１８．４Ｎの圧力が与えられていることになる。
【００３４】
厚みの２ｍｍのガラス板７をカットする際には、厚み１ｍｍのガラス板７をカットする場合に比べて強い押しつけ圧力が必要となるが、高さ調整をするとともに自動的に圧力調整もなされることとなる。
【００３５】
また、ガラスの種類によって硬さが異なるため押しつけ圧力を変更したい場合には、ばね定数の異なるバネに変更するか図２にしめした圧力調整機構をもつガラスカッター保持具１１を用いれば良い。
【００３６】
以上述べたように、本発明によるガラス切り工具を用いれば、ガラス板７の板厚に応じてカッターチップ５２の位置を調整すると同時にカッターチップ５２のガラス板７への押しつけ圧力を調整することが出来る。
【符号の説明】
【００３７】
１  カッター保持部材
４  バネ
７  ガラス板
８  台盤
９  支持部材
１０  案内部材
１１  ガラスカッター保持具
２１，３１  ローレットナット
２２  中空ネジ
５１  カッターヘッド
５２  カッターチップ
６１  カッターヘッド支持軸
６２  支持軸ツバ
【手続補正２】
【補正対象書類名】特許請求の範囲
【補正対象項目名】全文
【補正方法】変更
【補正の内容】
【特許請求の範囲】
【請求項１】
ガラスカッターを対象物に対して一定高さに保持できるガラス切り工具であって、ガラスカッターを対象物に対して押しつける圧力と、ガラスカッターの対象物に対する距離とを同時に調整できる圧力位置調整機構を有することを特徴とするガラス切り工具
【請求項２】
前記圧力位置調整機構に加えて圧力のみを調整する事の出来る圧力調整機構を持つ請求項１に記載のガラス切り工具
【請求項３】
前記圧力位置調整機構がバネとネジとナットの組み合わせからなることを特徴とする請求項１または請求項２に記載のガラス切り工具
【請求項４】
前記圧力調整機構がバネとネジとナットの組み合わせによることを特徴とする請求項２または請求項３に記載のガラス切り工具